(57)【要約】【課題】レンズ付きフイルムユニットのフイルム詰め替え製品の製造を防止する。【解決手段】使い終わったレンズ付きフイルムユニットからパトローネが取り出される際、パトローネ取り出し蓋３５が開放される。パトローネ取り出し蓋３５が開放されると、連動レバー３８が回転し、第１スライド板４０がスライドして充電スイッチ２９がオンされる。充電スイッチ２９によってストロボ装置の充電処理が開始され、電池残量がなくなるまで充電処理が行われ続ける。レンズ付きフイルムユニットには、単四型乾電池とほぼ同じ直径で全長を短くした専用電池が用いられる。ストロボ装置は、製造元で電池交換が行われるまで使用不能な状態となり、フイルム詰め替え製品の商品価値が低くなる。【選択図】        図３
2005031262.tif 000002
【特許請求の範囲】
【請求項１】
未露光の写真フイルムが収納されたフイルム室と、撮影ごとに写真フイルムを巻取るパトローネが収納されたパトローネ室と、国際規格と異なる形状を有する一次電池が収納された電池室と、電池からの給電を受けてメインコンデンサを充電し、シャッタレリーズに応答してストロボ光を発光するストロボ装置と、電池容量を使い切るための負荷回路と電池とを接続するスイッチ接片と、撮影を終了した後の所定の操作がなされたことに連動して前記スイッチ接片を作用させる連動手段と、前記負荷回路と電池とが接続された状態を維持するロック手段とが設けられていることを特徴とするレンズ付きフイルムユニット。
【請求項２】
前記負荷回路がストロボ回路であり、前記スイッチ接片が前記メインコンデンサへの充電を開始する作動位置と充電を停止する停止位置とに変位する充電スイッチであり、撮影時の操作によって充電スイッチを作動位置と停止位置とに切り替える操作部材が設けられるとともに、
前記連動手段が前記充電スイッチを作動位置に変位させた後、前記ロック手段が前記操作部材による前記充電スイッチの切り替えを不可能にすることを特徴とする請求項１記載のレンズ付きフイルムユニット。
【請求項３】
パトローネを取り出すときに開放されるパトローネ取り出し蓋が設けられており、前記連動手段はパトローネ取り出し蓋の開放操作によって充電スイッチを作動位置に変位させることを特徴とする請求項２記載のレンズ付きフイルムユニット。
【請求項４】
前記連動手段は、一端がパトローネ取出し蓋に係合してパトローネ取出し蓋の開放により回動する連動レバーと、連動レバーの他端に係合して連動レバーの回動によりスライド移動するスライド部材とを備え、前記充電スイッチはスライド部材の移動により作動位置に変位することを特徴とする請求項３記載のレンズ付きフイルムユニット。
【請求項５】
フイルム室に収納された写真フイルムがパトローネ内に全て巻き取られたときに、前記連動手段が充電スイッチを作動位置に変位させることを特徴とする請求項２記載のレンズ付きフイルムユニット。
【請求項６】
写真フイルムのパーフォレーションに係合したスプロケットを写真フイルムの巻取りによって従動回転させ、スプロケットの回転が伝達されることによってパトローネ内に巻き取られた写真フイルムのコマ数をカウントするカウント機構を備え、規定コマ数分の写真フイルムがパトローネ内に巻き取られたときに、前記連動手段が充電スイッチを作動位置に変位させることを特徴とする請求項２記載のレンズ付きフイルムユニット。
【請求項７】
前記一次電池が円筒形状のアルカリマンガン電池であり、その全長Ｌ（ｍｍ）と直径φ（ｍｍ）がそれぞれ
２４≦Ｌ≦３８
９．５≦φ≦１０．５
であることを特徴とする請求項１ないし６のいずれかに記載のレンズ付きフイルムユニット。
【発明の詳細な説明】
【０００１】
【発明の属する技術分野】
本発明は、撮影終了後にストロボ装置を使用不能にするレンズ付きフイルムユニットに関するものである。
【０００２】
【従来の技術】
未露光の写真フイルムが予め装填され、購入したその場で写真撮影が行えるレンズ付きフイルムユニットが知られている。レンズ付きフイルムユニットは、使い終わった後に現像所に持ち込まれ、写真フイルムが抜き取られて現像とプリントが行われる。現像所に集められた使用済みのレンズ付きフイルムユニットは製造元のメーカーに回収され、部品ごとのリユースや、材料ごとのリサイクルが行われる。
【０００３】
リユース工程では、機械部品であるシャッタ装置と、電気部品であるストロボ装置と、光学部品であるレンズが取り出されて、再利用の可能なものがそれぞれの洗浄・修理・検査工程を経て新規製品の一部に再使用される。リサイクル工程では、紙ラベルやプラスチックの外装体が材料ごとに分別され、再生紙やプラスチック原料としてリサイクルされる。
【０００４】
近年、製造元と異なる業者により現像所で集められた使用済みのレンズ付きフイルムユニットが回収され、未露光の写真フイルムを再装填したフイルム詰め替え品が市場に流通している。このフイルム詰め替え品は、製造元で厳しい検査をしてリユース・リサイクルされるものに比べて品質に問題があり、ユーザーは多大な迷惑を被っている。また、フイルム詰め替え品は、業者ごとに独自の改造を施しているので製造元で回収されてもリユース，リサイクルの各工程に適合できない。
【０００５】
そこで、従来より、フイルム詰め替え品の製造を抑制するための工夫が提案されている。例えば、撮影終了後、製造元で定めた特殊な電気信号が入力されるまでストロボ装置が作動することを禁止するにセキュリティＩＣを組み込んだもの（特許文献１，２参照）や、パトローネをメーカー独自の規格で製造し、市販のパトローネを用いたフイルム詰め替え品の製造を防止するもの（特許文献３参照）が知られている。
【０００６】
【特許文献１】
特開２００１−１３６３８号公報
【特許文献２】
特開２００１−８３５８５号公報
【特許文献３】
特許３２８３９９０号明細書（第１６図ないし第２１図に示される第６，第７実施例）
【０００７】
【発明が解決しようとする課題】
上記特許文献に示される従来の技術は、１回使い切りというレンズ付きフイルムユニットの特性と、写真フイルムの消耗品としての特性を利用したものである。しかしながら、レンズ付きフイルムユニットに使用される消耗品には、写真フイルムの他にもストロボ装置の電源となる電池がある。すなわち、ストロボ装置を備えたレンズ付きフイルムユニットでは、第三者が入手不可能な電池をストロボ装置の電源として利用することで、フイルム詰め替え品の製造を防止するための新たな対策を講じることができる。
【０００８】
【課題を解決するための手段】
本発明のレンズ付きフイルムユニットは、上記事情が考慮されたもので、未露光の写真フイルムが収納されたフイルム室と、撮影ごとに写真フイルムを巻取るパトローネが収納されたパトローネ室と、国際規格と異なる形状を有する一次電池が収納された電池室と、電池からの給電を受けてメインコンデンサを充電し、シャッタレリーズに応答してストロボ光を発光するストロボ装置と、電池容量を使い切るための負荷回路と電池とを接続するスイッチ接片と、撮影を終了した後の所定の操作がなされたことに連動して前記スイッチ接片を作用させる連動手段と、前記負荷回路と電池とが接続された状態を維持するロック手段とが設けられていることを特徴とするものである。撮影終了後に電池を消費させることで、使用済みのレンズ付きフイルムユニットを第三者が入手したときに電池を使用不能にし、ストロボ撮影の可能なフイルム詰め替え品の製造を防止する。
【０００９】
請求項２記載のレンズ付きフイルムユニットは、撮影終了後にストロボ装置を強制的に充電状態に移行させることで電池容量を使い切るもので、撮影時の操作によって充電スイッチを作動位置に切り替える操作部材を備えており、前記連動手段が前記充電スイッチを作動位置に変位させた後、前記ロック手段が前記操作部材による前記充電スイッチの切り替えを不可能にすることを特徴とし、連動手段により開始された電池の放電処理が外部操作によって解除できないようにしたものである。
【００１０】
請求項３記載のレンズ付きフイルムユニットは、パトローネ取り出し蓋の開放操作により、連動部材が充電スイッチを作動位置に移動させることを特徴とし、現像所で写真フイルムを取り出した後に電池残量を空にするものである。
【００１１】
請求項４記載のレンズ付きフイルムユニットは、一端がパトローネ取出し蓋に係合してパトローネ取出し蓋の開放により回動する連動レバーと、連動レバーの他端に係合して連動レバーの回動によりスライド移動するスライド部材とによって連動手段を構成し、充電スイッチをスライド部材の移動により作動位置に変位させることを特徴とするものである。
【００１２】
請求項５記載のレンズ付きフイルムユニットは、フイルム室に収納された写真フイルムがパトローネ内に全て巻き取られたときに、連動手段が充電スイッチを作動位置に移動させることを特徴とするものである。
【００１３】
請求項６記載のレンズ付きフイルムユニットは、パトローネ内に巻き取られた写真フイルムのコマ数をスプロケットの回転によりカウントするカウント機構を備え、規定コマ数分の写真フイルムがパトローネ内に巻き取られたときに、連動手段が充電スイッチを作動位置に移動させることを特徴とするものである。
【００１４】
請求項７記載のレンズ付きフイルムユニットは、ストロボ装置の電源として円筒形状のアルカリマンガン電池を使用し、このマンガン電池の全長Ｌ（ｍｍ）と直径φ（ｍｍ）をそれぞれ
２４≦Ｌ≦３８
９．５≦φ≦１０．５
となるように形成したもので、極材料の容量を適切に定めることにより、ストロボ撮影に支障が生じない電池容量を確保すると同時に、撮影終了後に電池残量を使い切る時間が極端に長くなることを防ぐものである。また、市販されている電池のうち、寸法の小さい単四型電池及び単五型電池を特殊なアダプタケース等に収納することによってストロボ装置を使用可能にすることを防ぐものである。
【００１５】
【発明の実施の形態】
図１において、レンズ付きフイルムユニット２は、その前面に撮影レンズ３，ファインダ４，スライドつまみ５，ストロボ発光部６が設けられている。撮影レンズ３は光学樹脂からなる２枚の凸レンズによって構成されている。ファインダ４は、対物側の凹レンズと接眼側の凸レンズとによって逆ガリレオ光学系の透視ファインダが構成されている。スライドつまみ５は、ストロボ撮影を行う際に操作され、上位置に操作するとストロボ充電が開始され、下位置に操作するとストロボ充電が停止する。ストロボ発光部６は、ストロボ充電の完了後に撮影操作を行うと、シャッタレリーズに同期してストロボ光を照射する。
【００１６】
レンズ付きフイルムユニット２の上面には、シャッタボタン７、カウンタ窓８、充電完了表示窓９が設けられている。カウンタ窓８には、内部から観察されるカウンタ板の目盛りによって残りの撮影可能枚数が表示される。充電完了表示窓９は、スライドつまみ５の操作によってストロボ充電が開始されると点滅し、ストロボ充電が完了すると連続点灯してストロボ充電の進行状況を発光表示する。背面に設けられた巻上げノブ１０は撮影が行われるごとに回転操作され、露光されたフイルムコマが巻上げられる。
【００１７】
図２において、レンズ付きフイルムユニット２は、シャッタ機構及びフイルム巻止め機構等が組み込まれた露光装置１４と、露光装置１４が取り付けられるユニット基部１５と、パトローネ１６に一端が係止された写真フイルム１７と、前カバー１８及び後カバー１９と、ストロボ装置２０とによって構成される。ユニット基部１５には、パトローネ１６を収納するパトローネ室２１と、パトローネ１６から予め引き出された写真フイルム１７をロール状に収納するフイルム室２２とが設けられている。
【００１８】
写真フイルム１７は、露光装置１４が取り付けられたユニット基部１５と、その背面に装着される後カバー１９とによって光密に収納される。巻上げノブ１０はパトローネ室２１の上に設けられており、巻上げノブ１０の軸はパトローネ１６のスプール１６ａに係合する。巻上げノブ１０の回転操作によってスプール１６ａが回転し、写真フイルム１７がパトローネ１６の内部に巻取られる。
【００１９】
スプロケット２３は、ユニット基部１５の背面からその一部が突出し、写真フイルム１７に形成されたパーフォレーション１７ａと係合する。写真フイルム１７がパトローネ１６に巻取られるとき、パーフォレーション１７ａはスプロケット２３を回転させる。スプロケット２３の回転は、露光装置１４のシャッタチャージ機構、フイルム巻止め機構、カウンタ機構に伝達される。シャッタチャージ機構は、撮影レンズ３の背後に設けられたシャッタ羽根（図示なし）を蹴飛ばしてシャッタレリーズを可能とする状態にチャージされる。フイルム巻止め機構は、巻止め爪（図示なし）を巻上げノブ１０のローレットに押し当てて、巻上げノブ１０の操作をロックする。カウンタ機構は、カウンタ窓８に表示されたカウンタ目盛りを撮影ごとに１つ進ませる。
【００２０】
ストロボ装置２０は、ユニット基部１５に取り付けられ、露光装置１４とフイルム室２２の間の位置に固定される。ストロボ装置２０は、ストロボ発光部６と、ストロボ回路が構成されたストロボ基板２７とから構成される。ストロボ基板２７には、専用電池２８が設けられている。専用電池２８は、正電極の先端までを含めた全長が４４．５ｍｍ，直径が１０．５ｍｍである単四型乾電池とほぼ同じ直径で全長のみを短くした円筒形状のアルカリマンガン電池からなる。具体的には、全長をＬ（ｍｍ），直径をφ（ｍｍ）としたときに、２４≦Ｌ≦３８，９．５≦φ≦１０．５を満たす寸法である。専用電池２８は、露光装置１４の直下に設けられる電池室に収納される。この電池室は、専用電池２８の容積分の空間を有しており、専用電池２８よりも全長と直径の大きい電池は取り付けることができない。例えば、全長が３０．２ｍｍ、直径が１２．０ｍｍの単五型電池は直径が大きいために使用することができない。
【００２１】
ストロボ基板２７には、充電スイッチ２９が設けられている。充電スイッチ２９は、スライドつまみ５の操作によって、専用電池２８からストロボ回路に給電を行うオン位置と、給電を遮断するオフ位置とで変位する。充電スイッチ２９がオン位置にあるときには、ストロボ回路の一部である充電回路が作動して、ストロボ発光部６の背後に設けられたメインコンデンサ３０が高圧充電される。また、シャッタ操作によってシャッタレリーズが行われたとき、シャッタ羽根がシンクロスイッチ３１をオンさせて、メインコンデンサ３０に蓄積された電荷がストロボ発光管を流れてストロボ発光が行われる。一方、充電スイッチ２９がオフ位置にあるときには、充電回路が作動せず、メインコンデンサ３０が充電完了状態であり、かつシンクロスイッチ３１がシャッタレリーズによってオンしてもストロボ発光は行われない。
【００２２】
後カバー１９には、ファインダ４と巻上げノブ１０を露呈させる開口が形成されている。後カバー１９は、ユニット基部１５の背面に取り付けられた際にパトローネ室２１とフイルム室２２を遮光し、パトローネ室２１とフイルム室２２の間にフイルム通路を形成する。フイルム通路上には写真フイルム１７を背面から支持する湾曲したフイルム押さえ３２が設けられている。後カバー１９には、回動自在なパトローネ取り出し蓋３５とフイルム室底蓋３６が設けられている。
【００２３】
図３において、パトローネ取り出し蓋３５には複数の爪が形成されている。これらの爪には、パトローネ取り出し蓋３５をパトローネ室２１の底部でユニット基部１５に固定するための固定爪３７と、連動レバー３８に係合する係合爪３９とがある。連動レバー３８は、軸穴３８ａを中心として回転自在に保持される。連動レバー３８は、その一端に係合爪３９に引っ掛けられる引っ掛け部３８ｂが設けられ、他端には押し上げ突起３８ｃが設けられている。パトローネ取り出し蓋３５が開放されると、引っ掛け部３８ｂが下方に引っ張られて連動レバー３８が回転し、押し上げ突起３８ｃは第１スライド板４０を持ち上げる。
【００２４】
受け板４１は、ストロボ基板２７の表面側に取り付けられる。ストロボ基板２７には、その裏面側に多数の回路部品が実装されており、ストロボ基板２７の表面側で回路部品の端子がはんだ付けされている。受け板４１は、その片面がはんだ付けされた端子群の上からストロボ基板２７の表面とほぼ接するように重ね合わされる。受け板４１の他方の面は、ほぼ平坦に形成されており、第１スライド板４０と第２スライド板４２のスライド移動を可能にする。
【００２５】
図４において、スライドつまみ５が形成された第２スライド板４２が操作されると、その裏面側に設けられた押圧突起４２ａが、受け板４１に形成された開口４１ａを通じて充電スイッチ２９をオン位置に変位させる。第１スライド板４０には、凹部４０ａとスイッチ押圧部４０ｂとが設けられている。パトローネ取り出し蓋３５が開放されて連動レバー３８が回転すると、押し上げ突起３８ｃが凹部４０ａに入り込み、第１スライド板４０を持ち上げる。第１スライド板４０が持ち上げられると、スイッチ押圧部４０ｂが充電スイッチ２９をオン位置に変位させる。スイッチ押圧部４０ｂは、押圧突起４２ａとは異なる位置で充電スイッチ２９に作用するので、第２スライド板４２の操作位置に関係なく充電スイッチ２９はオン位置に維持される。
【００２６】
図５において、受け板４１には、２つの突起４１ｂ，４１ｃが設けられている。第１スライド板４０には、掛かり爪４０ｃが設けられている。突起４１ｂ，４１ｃは、横歯と縦歯とが設けられた略直角三角形状をしており、第１スライド板４０が移動して掛かり爪４０ｃが突起４１ｂ，４１ｃを乗り越えた後、第１スライド板４０が元の位置に戻らないように、その移動方向を一方向に規制する。掛かり爪４０ｃと突起４１ｂ，４１ｃは、第１スライド板４０が振動等の影響で不用意に動いて充電スイッチ２９を誤ってオンさせることを防止する目的で設けられている。また、パトローネ取り出し蓋３５の開放によって第１スライド板４０が持ち上げられ、スイッチ押圧部４０ｂが充電スイッチ２９をオンさせた後、第１スライド板４０をロックして充電スイッチ２９をオンの状態に維持する。
【００２７】
次に、本発明の作用について説明する。レンズ付きフイルムユニット２は、巻上げノブ１０がロックされるまで操作して撮影準備を行う。ストロボ撮影を行う際には、スライドつまみ５を操作してストロボ充電を行っておく。ストロボ充電が完了したことは、充電完了表示窓９の発光表示によって知ることができる。撮影が行われるたびにカウンタ窓８に表示される目盛りの値が減少し、残りの撮影可能枚数が減少していく。レンズ付きフイルムユニット２は、規定枚数の撮影が終了すると巻上げノブ１０が空回りし、写真フイルム１７を使い切ったことがわかる。レンズ付きフイルムユニットが現像所に持ち込まれてフイルム現像とプリントが依頼されると、現像所では写真フイルム１７の取り出し作業を行う。
【００２８】
写真フイルム１７を取り出す際には、パトローネ取り出し蓋３５の隙間にマイナスドライバに似た器具が差し込まれ、パトローネ取り出し蓋３５が開放される。パトローネ取り出し蓋３５が開放されたとき、これに応じて連動レバー３８が回転し、第１スライド板４０が持ち上げられてスイッチ押圧部４０ｂが充電スイッチ２９を押圧する。これによりストロボ回路が給電されて充電処理が開始される。パトローネ取り出し蓋３５が開放されてパトローネ１６が取り出された空のユニットは、１ヶ所に集められるなどしてそのまま放置される。一度作動したストロボ回路はスライドつまみ５の操作を受け付けることはなく、外部からの操作によって回路を停止することはできない。
【００２９】
空のレンズ付きフイルムユニットの内部では充電回路が作動しつづける。ストロボ撮影が行われた回数によって異なるが、短くても数時間、長くとも十数時間程度で電池残量がなくなり、ストロボ回路が停止する。専用電池２８の容量が全て使い果たされた空のレンズ付きフイルムユニットは、電池交換をしない限りストロボ装置を使用することはできない。電池交換を行うにも、一般に販売されている乾電池ではその容積が大き過ぎたり小さ過ぎるので、空のレンズ付きフイルムユニットに対して第三者が電池交換を行うことはできない。すなわち、空のレンズ付きフイルムユニットに新しい写真フイルムを再装填してもストロボ撮影が全く行えない商品価値の低いものとなってしまい、写真フイルムを詰め替えた製品を製造・販売する利点がなくなる結果となる。
【００３０】
次に、本発明の第２の実施形態について図６を用いて説明する。本実施形態は、レンズ付きフイルムユニットに設けられたカウンタ機構を利用して、規定の撮影回数に達した時点で充電回路を作動させるものである。一歯ギア５０は、スプロケット５１の一回転でカウンタ目盛りを１目盛りだけ進ませるカウンタ溝５２が形成された回転部材５３に一体形成されている。一歯ギア５０の歯は、タイミングギア５４と噛み合い、一歯ギア５０の一回転によってタイミングギア５４が一歯分回転する。タイミングギア５４の上には、キー溝５５が形成された円板５６が設けられている。タイミングギア５４が回転してキー溝５５が所定の位置に移動すると、連動レバー５７に設けられたキーアーム５８がキー溝５５に入り込む。すると、連動レバー５７が回転して、押圧アーム５９が充電スイッチ２９を押圧し、ストロボ回路が強制的に給電される仕組みになっている。
【００３１】
タイミングギア５４は、ストッパー板６０により不用意な動きが規制され、一歯ずつ正確に送られる。レンズ付きフイルムユニットの撮影可能枚数に応じてタイミングギア５４の初期位置を決定することにより、撮影可能な残りのコマ数が０に達したとき、又は全ての写真フイルムがパトローネ内に巻き取られたときに連動レバー５７を駆動させて充電回路を作動させることができる。
【００３２】
なお、以上の実施形態では、パトローネとして１３５タイプのものを用いているが、アドバンストフォトシステム（ＡＰＳ）規格に即した形状のフイルムカートリッジ、レンズ付きフイルムユニット専用としてメーカー独自の規格で製造されたフイルム容器を用いたレンズ付きフイルムユニットについても本発明を等しく適用することができる。また、撮影を終了した後の所定の操作とは、パトローネの取り出し作業に伴う現像所側で行う操作、フイルム巻上げを完了させるユーザーによる操作の他にも、一度操作するとそれ以降撮影が行えなくなる操作部材を別途設け、この操作部材をユーザーに操作させるようにしてもよい。すなわち、撮影可能なフイルムコマが残っている場合に、ユーザーが撮影を終了する意思が明確に示されるようにし、この操作を撮影終了の操作としてもよい。また、本発明は、電池を消費させるためにストロボ回路を用いることに限られず、抵抗やコイルなどを用いた単純な負荷回路を設けてもよい。また、この専用の負荷回路は、ストロボ装置の基板上に設けられているか否かに限定されることはない。
【００３３】
【発明の効果】
本発明のレンズ付きフイルムユニットによれば、国際規格と異なるメーカー独自の寸法形状で製造された充電の行えない一次電池が使用されるとともに、撮影終了後に電池容量を使い切るようにしているから、消耗品である電池を市販のものと交換し、製造元と異なる第三者がストロボ撮影の可能なフイルム詰め替え品を容易に製造することができなくなる。
【図面の簡単な説明】
【図１】レンズ付きフイルムユニットの外観斜視図である。
【図２】レンズ付きフイルムユニットの分解斜視図である。
【図３】パトローネ取り出し蓋の開放に連動してストロボ回路を給電する機構を示す斜視図である。
【図４】充電スイッチの周辺構造を示す平面図である。
【図５】第１スライド板の誤動作と脱落を防止する機構を示す断面図である。
【図６】撮影終了後にストロボ回路を給電する機構の他の形態を示す斜視図である。
【符号の説明】
２  レンズ付きフイルムユニット
５  スライドつまみ
６  ストロボ発光部
１６  パトローネ
１７  写真フイルム
２０  ストロボ装置
２１  パトローネ室
２２  フイルム室
２７  ストロボ基板
２８  専用電池
２９  充電スイッチ
３０  メインコンデンサ
３５  パトローネ取り出し蓋
３８  連動レバー
４０  第１スライド板
４１  受け板
４２  第２スライド板
５０  一歯ギア
５１  スプロケット
５２  カウンタ溝
５３  回転部材
５４  連動レバー
５５  キー溝
５６  連動レバー
５７  キーアーム
５８  押圧アーム
【図１】
2005031262.tif 000003
【図２】
2005031262.tif 000004
【図３】
2005031262.tif 000005
【図４】
2005031262.tif 000006
【図５】
2005031262.tif 000007
【図６】
2005031262.tif 000008
【手続補正書】
【提出日】平成15年7月23日(2003.7.23)
【手続補正１】
【補正対象書類名】明細書
【補正対象項目名】０００６
【補正方法】変更
【補正の内容】
【０００６】
【特許文献１】
特開２００１−１３６３８号公報
【特許文献２】
特開２００１−８３５８３号公報
【特許文献３】
特許３２８３９９０号明細書（第１６図ないし第２１図に示される第６，第７実施例）